(57)【要約】補強または類似の目的のための織物であって、該織物は織部と不織部を含む二次元の平らな織物から作られる。該織部と不織部で該織物の折りこみが可能になり、切断や縫いこみ（ｄａｒｔｉｎｇ）を必要とすることなく三次元構造体が作り出される。
2004526875.tif 000002
【特許請求の範囲】
【請求項１】
三次元形状を有する構造体を形成するための織物であって、
該織物の織部において組み合い様式で織られた経繊維と横繊維；および
該織物の不織部における経繊維と横繊維からなり、該不織部において該経繊維と横繊維は互いに組み合わされることなく互いに独立して動くことができ；さらに
該経繊維に平行な第一方向および該横繊維に平行な第二方向における該織物の折りこみにより、該不織部の該経繊維と横繊維が互いに整列することに伴い、該不織部がしぼむことを特徴とする前記織物。
【請求項２】
該不織部が該織部に囲まれている請求項１に記載の織物。
【請求項３】
複数個の織部と不織部を含む請求項１に記載の織物。
【請求項４】
該不織部が織部に囲まれている請求項３に記載の織物。
【請求項５】
複数本の該経繊維と横繊維は強化繊維および熱可塑性樹脂から作られた他の繊維の組み合わせから作られる請求項１に記載の織物。
【請求項６】
複数本の該経繊維と横繊維はガラス、ケブラー（登録商標）、炭素、ナイロン、レイヨン、ポリエステルまたは綿を含む、合成材料または天然材料から作られる請求項１に記載の織物。
【請求項７】
複数本の該経繊維と横繊維は強化繊維および熱可塑性樹脂から作られた他の繊維の組み合わせから作られる請求項３に記載の織物。
【請求項８】
複数本の該経繊維と横繊維はガラス、ケブラー（登録商標）、炭素、ナイロン、レイヨン、ポリエステルまたは綿を含む、合成材料または天然材料から作られる請求項３に記載の織物。
【請求項９】
該折りこみが該織部と該不織部の間で形成される連結点において起こる請求項１に記載の織物。
【請求項１０】
三次元形状を有する構造体を形成するための織物を製造する方法であって、
経繊維と横繊維を織って、該経繊維と横繊維が組み合わされる該織物の織部を作り出すステップ；
該経繊維と横繊維は互いに組み合わされることなく互いに独立して動くことができる該織物の不織部を形成するステップ；および
前記織物を折りこみ、該不織部の該経繊維と横繊維を互いに整列させることに伴い、該不織部をしぼませるステップからなることを特徴とする前記方法。
【請求項１１】
該織部に囲まれた該不織部を有した該織物を形成するステップを含む請求項１０に記載の方法。
【請求項１２】
複数の織部と不織部を有した該織物を形成するステップを含む請求項１０に記載の方法。
【請求項１３】
織部で囲まれた該不織部を有した該織物を形成するステップを含む請求項１２に記載の方法。
【請求項１４】
強化繊維および熱可塑性樹脂から作られた他の繊維の組み合わせから作られた複数本の該経繊維と横繊維を有した織物を形成するステップを含む請求項１０に記載の方法。
【請求項１５】
ガラス、ケブラー（登録商標）、炭素、ナイロン、レイヨン、ポリエステルまたは綿を含む、合成材料または天然材料から作られた経繊維または横繊維を用いるステップを含む請求項１０に記載の方法。
【請求項１６】
強化繊維および熱可塑性樹脂から作られた他の繊維の組み合わせから作られた複数本の該経繊維と横繊維を有した織物を形成するステップを含む請求項１２に記載の方法。
【請求項１７】
ガラス、ケブラー（登録商標）、炭素、ナイロン、レイヨン、ポリエステルまたは綿を含む、合成材料または天然材料から作られた経繊維または横繊維を用いるステップを含む請求項１２に記載の方法。
【請求項１８】
該経繊維に平行な第一方向および該横繊維に平行な第二方向において該織物の折りこみが起こり、これにより該不織部の該経繊維と横繊維が互いに整列することに伴い、該不織部がしぼむ請求項１０に記載の方法。
【請求項１９】
該織りこみが該織部と該不織部の間で形成される連結点において起こる請求項１８に記載の方法。
【請求項２０】
前記織物は熱形成されて三次元構造体の形状で保有される請求項１４に記載の方法。
【請求項２１】
前記織物は熱形成されて三次元構造体の形状で保有される請求項１６に記載の方法。
【請求項２２】
該織物は熱形成されて三次元形状をとる請求項１４に記載の方法。
【請求項２３】
該織物は熱形成されて三次元形状をとる請求項１６に記載の方法。
【発明の詳細な説明】
【０００１】
（発明の分野）
本発明は熱成形または本目的に適した他の方法により三次元物品に形成される、織基材（ｗｏｖｅｎ ｓｕｂｓｔｒａｔｅ）に関する。
【０００２】
（発明の背景）
繊維強化した複合構造体は、強度等の機械的利点を提供するとともに軽量であるという利益を享受する。しかし、様々な用途において、比較的製造が容易であることから、費用上の理由で成形プラスチック構造体、成形木材構造体、または成形金属構造体が好まれる。しかし多くの場合、包装パッケージまたは保存枠箱（ｃｒａｔｅｓ）等の物品は、粗雑な取り扱いにより損傷を受け易いか、または、重量および強度の点で積重ね能力に限界がある。繊維強化した複合構造体がより望ましいが、一方で、幾分複雑な三次元（３Ｄ）構造体の製造に関わる費用は検討すべき事項である。
【０００３】
これは、複合構造体が典型的には繊維の平面編み基材を発端とすることに起因する。該基材を次に物品の形状に成形し、次に樹脂で被覆し、所望の形状へと熱成形または硬化しなければならない。これは、比較的平らまたは円滑な表面に対して容易に行うことができる。しかし、箱または枠箱の複数の側面、複数の角、および複数の底部の接合部等にある、傾斜した表面に対しては、切断または縫いこみ（ｄａｒｔｉｎｇ）が必須である。これは幾分労働集中的であり、且つ製造の費用を増大させる。例えば包装用枠箱の、一般的に安価と思われる物においては、費用の増大が、そのものの強化されているという利益を上回ることがある。
【０００４】
３Ｄ編み構造体を特殊機器により製織することができるが、一方でこれに関わる費用は相当な額であり、単純な構造体を作るための専用の製織機を有することが所望されることはほとんどない。
【０００５】
従って、織られた繊維強化物品は、様々な用途において、これに相当するプラスチック構造体、木材構造体または金属構造体に置換するために所望される一方で、これらの製造方法に関わる費用を低減する必要性が存在する。そうすることにより、相対的な大量生産および用途の拡大を可能とすることもできる。
【０００６】
（発明の要約）
従って、本発明の主な目的は、３Ｄ構造体用の強化織物を切断し縫いこむ（ｃｕｔ ａｎｄ ｄａｒｔ）必要性を最小限に抑制するかまたは排除することである。
【０００７】
また、この一環としてのさらなる目的は、上記のような構造体の製造を簡素化し、且つ必要労働量を低減することである。
【０００８】
また、本発明のさらなる目的は、３Ｄ構造体を作り出すための特殊製織装置の必要性を回避することである。
【０００９】
また、本発明のさらなる目的は、種々の異なる３Ｄ構造体を作り出すために容易に適用できる、強化織布を作り出す方法を提供することである。
【００１０】
これらおよび他の目的および利点は、本発明から明白となるであろう。本発明は、３Ｄ複合構造体用の強化材として好適な、特殊設計された織物を提供することに関する。強化繊維は、従来の製織機で織り込むことができるものである。２Ｄ編み構造体に始まり、次に３Ｄ構造体、特に深い引き伸ばし（ｄｅｅｐ ｄｒａｗｓ）を有する構造体に成形される。これを提供するため、該強化織物は、該織物の複数の部分において、該経繊維および緯繊維またはフィル繊維（ｆｉｌｌ ｆｉｂｅｒｓ）が互いの上に配置され、組み合わされないような方法で織り込まれる。該織物を引き伸ばしまたは折りこんで成形する際、この部分において該繊維は独立して移動することができ、互いに滑走して通過しあう。この部分が長方形または正方形である場合、該経繊維および緯繊維がそれら自体および相互の上に折りこまれ、仕上げ構造体における圧縮カラムとして機能するコーナーを作る一次元的方法により整列するような方法でこの部分をしぼませることができる。
【００１１】
従って、本発明の目的および利点は、記述においてまた図面と結びつけて実現されよう。
【００１２】
（好適な実施例の詳細な記述）
これより以下、より具体的に図面を参照し、類似の部位には同様の番号を付す。図１において本発明を図示する平面２Ｄ編み強化織物１０が示されている。該織物１０は、平織、斜文織、朱子織等、任意の従来の繊維パターン、またはこの目的に適した他の任意のパターンを用いて製織することができる。使用する繊維は、例えばガラス、ケブラー（登録商標）、カーボン、ナイロン、レーヨン、ポリエステル、コットン等から作られた繊維を含む、合成または天然の、製織可能な任意の繊維とし、且つ、従来の製織装置上で製織することができる。
【００１３】
図１において、経繊維は方向Ａで示し、緯繊維は方向Ｂで示す。この図示の目的のため、該織物１０は、折りこみ線３０〜３６に沿って分割され、領域１２〜２８に分かれている。領域１２〜１８および２２〜２８において、該緯繊維と交錯する該経繊維を有する、従来の方法で該繊維を製織する。領域２０において、これらの繊維は組み合わされない、換言すれば、該緯繊維が該経繊維の下で浮いている。従って領域２０において、該繊維は相互に独立して移動することができる。
【００１４】
該織物１０を構成したのち、次に所望の形状へと成形することができる。強化構造体として機能させる場合、該織物を所望の材料または樹脂で含浸し、次に成形または熱成形する。代替的に、構造用繊維と熱可塑性樹脂とからなる相互に交錯したトウ糸（ｔｏｗｓ）を製織して、予備成形体を生じさせて、これを次に熱成形することができるだろう。
【００１５】
これより以下、図２のＡ〜Ｄを参照すれば、図２のＡにおいて平面２Ｄ編み織物１０が示されている。該織物１０は、次に、図２のＢに示すとおり、経繊維に平行な折りこみ線３０および３２に沿って折りこまれる。該織物１０は、次に、図２のＣに示すとおり、緯繊維に平行で、且つ経繊維に垂直な折りこみ線３２および３６に沿って折りこまれる。この手順において、領域２０内の経繊維および緯繊維が交錯していないため、これらは互いに滑走して通過しあい、図２のＤに示すとおり、最終的にはコーナー３８に集積する。コーナー３８にある繊維はこのとき一次元的であり、圧縮カラムとして機能することができ、形成されている構造体の強度を高めることができる。前述の事項は、所望の成形型を有する熱成形装置、またはこの目的に適した他の手段により自動的に行うことができ、次に該構造体を熱固定（ｈｅａｔ ｓｅｔ）または硬化する。
【００１６】
前述の事項は、切断または縫いこみ（ｄａｒｔｉｎｇ）の必要性を有利に回避し、これにより必要な労働量および物品の最終費用を低減する。本発明は、製造の自動化を高め、従って強化構造体の使用が可能な用途を拡大する。
【００１７】
これより以下、図３を手短に参照すれば、平面２Ｄ編み織物１１０が示されている。織物１１０は、複数の領域１２０を図示している。ここにおいて、経繊維が、織構造体中において、緯繊維上に配置されているだけである。このような織物１１０によって、図４に示すとおり、折りこみ、複雑な強化構造体１３０へと成形することができる。もちろん、経繊維および緯繊維が組み合わされない領域の広さや位置を変えることにより、他の形状を作り出すこともできる。
【００１８】
従って、本発明により、その目的と利点が実現し、且つ、好適な実施態様をここで詳細に開示および記述してきたが、その範囲はそれらによって限定されるべきではなく、特許請求の範囲により決められるべきである。
【図面の簡単な説明】
【図１】本発明の教示内容を取り入れた平面２Ｄ織物の構造を示す図である。
【図２】Ａ〜Ｄは深い引き伸ばしを作るために該織物を折りこんだりまたはひっぱったりする手順を示す図である。
【図３】折りこみまたは引き伸ばしの際に複合構造体を作り出すために経繊維と緯繊維が織りこまれることのない領域を多数有する２Ｄ織物を示す図である。
【図４】図３に示す織物から作られた３Ｄ構造の斜視図である。
【符号の説明】
１０    強化織物
１２〜１８    領域
２０    領域
２２〜２８    領域
３０〜３６    折りこみ線
３８    コーナー
１１０    織物
１２０    領域
１３０    強化構造体
【国際公開パンフレット】
2004526875.tif 000003
2004526875.tif 000004
2004526875.tif 000005
2004526875.tif 000006
2004526875.tif 000007
2004526875.tif 000008
2004526875.tif 000009
2004526875.tif 000010
2004526875.tif 000011
2004526875.tif 000012
2004526875.tif 000013
2004526875.tif 000014
2004526875.tif 000015
2004526875.tif 000016
2004526875.tif 000017
【国際調査報告】
2004526875.tif 000018